(57)【特許請求の範囲】
【請求項１】
付加情報付きのコンテンツを記憶している記憶部と、該コンテンツに係る画像を表示する表示部とを備える表示装置において、
自機の動きを検出する動き検出手段と、
該動き検出手段の検出結果に基づき、前記表示部に前記付加情報を表示する表示手段と  を備え、
前記記憶部は、複数の付加情報、各付加情報の表示条件、及び使用者情報を記憶しており、
前記付加情報の表示条件及び使用者情報に基づき、所定の付加情報を選択する選択手段  を備え、
該選択手段によって選択された付加情報を、前記表示手段が表示するように構成してあることを特徴とする表示装置。
【請求項２】
自機の姿勢を検出する姿勢検出手段を備えており、
前記表示手段は、
前記動き検出手段及び姿勢検出手段の検出結果に基づき、前記付加情報を表示するように構成してあることを特徴とする請求項１に記載の表示装置。
【請求項３】
前記コンテンツは複数ページの画像からなる画像群であり、  
前記記憶部は該コンテンツの特定ページに対応付けて前記付加情報を記憶しており、
前記表示部に前記特定ページが表示された場合、前記表示手段が対応する付加情報を表示するように構成してあることを特徴とする請求項１又は２に記載の表示装置。
【請求項４】
付加情報付きのコンテンツを記憶している記憶部と、該コンテンツに係る画像を表示する表示部と、自機の動きを検出する動き検出手段と、自機の姿勢を検出する姿勢検出手段とを備える表示装置において、前記付加情報を表示する表示方法において、
前記動き検出手段及び姿勢検出手段の検出結果に基づき、前記表示部に前記付加情報を表示するステップを含み、
前記記憶部は、複数の付加情報、各付加情報の表示条件、及び使用者情報を記憶しており、
前記付加情報の表示条件及び使用者情報に基づき、所定の付加情報を選択する選択ステップと、
該選択ステップによって選択された付加情報を表示するステップと
を含むことを特徴とする表示方法。
【請求項５】
付加情報付きのコンテンツを記憶している記憶部と、該コンテンツに係る画像を表示する表示部と、自機の動きを検出する動き検出手段と、自機の姿勢を検出する姿勢検出手段とを備える表示装置を構成するコンピュータに、前記付加情報を表示させるコンピュータプログラムにおいて、
コンピュータに、前記動き検出手段及び姿勢検出手段の検出結果に基づき、前記表示部に前記付加情報を表示させるステップを実行させ、
前記記憶部は、複数の付加情報、各付加情報の表示条件、及び使用者情報を記憶しており、
コンピュータに、前記付加情報の表示条件及び使用者情報に基づき、所定の付加情報を選択させる選択ステップと、
コンピュータに、前記選択ステップによって選択された付加情報を表示させるステップと
を実行させることを特徴とするコンピュータプログラム。
【請求項６】
請求項５に記載のコンピュータプログラムを記録してあることを特徴とするコンピュータでの読み取りが可能な記録媒体。
【発明の詳細な説明】
【技術分野】
【０００１】
本発明は、所定のコンテンツを表示する際、該コンテンツの付加情報を表示する表示装置、表示方法及びコンピュータプログラム、並びに該コンピュータプログラムが記録される記録媒体に関する。
【背景技術】
【０００２】
近年、デジタルコンテンツを再生できるさまざまな携帯型情報端末が普及している。その中でも、いわゆる電子書籍をインストールして、場所と時間を選ばず読書を楽しむことができる携帯型情報端末が広く普及されつつある。
【０００３】
例えば、特許文献１においては、表示画面にタッチパネルが配置され、実物の書籍をめくるかのごとく、該表示画面に表示されているページの画像に指をタッチしてめくり方向へスライドさせることで順次ページ画像をめくり、又は目的のタブをタッチすることでダイレクトに特定ページに移動できる携帯情報機器が開示されている。
【０００４】
また、特許文献２においては、加速度センサを備えており装置に振動等の加速度を与えるとこれを検出し、加速度の加わる継続時間を測定して、所定の指示を受け付ける携帯端末装置が開示されている。
【０００５】
更に、特許文献３においては、電話機能とメール機能等の通信機能を有し、さらに携帯端末の方向を検知する方向センサ又は加速度センサを有し、該携帯端末の方向と方向の変化の速度とにより、所定の指示を受け付け、受け付けた指示の内容が音声によりガイドされる携帯端末が開示されている。
【先行技術文献】
【特許文献】
【０００６】
【特許文献１】特開２０００−１６３１９３号公報
【特許文献２】特開２００３−１６３７４２号公報
【特許文献３】特開２０１０−２５２２０１号公報
【発明の概要】
【発明が解決しようとする課題】
【０００７】
しかしながら、上述したような従来の携帯型情報端末においては、実物の本の再現という点では充実されておらず、該情報端末の使用において実物の本とは相違する操作が要求される場合が多いから、実物の本に慣れている使用者に違和感を与える場合がある。
【０００８】
例えば、実物の本の取り扱いにおいては、本の何処かに挟まれているクーポン券、割引券等の付録を落とすために、読者は本を横に又は下方向に向けて振る動作を行う。しかし、このような使用者（読者）の動作の再現については、特許文献１〜特許文献３に係る発明の何れにおいても、考慮されていない。
【０００９】
また、特許文献２及び特許文献３に係る発明においては、使用者が端末自体を振る動作を行った場合、所定の指示を受け付ける構成について記載されてはいるものの、「振る」という使用者の動作を一つの指示操作として用いるに留まっており、上述したような実物の本の再現又は使用者（読者）の動作の再現については工夫されていない。
【００１０】
本発明は、斯かる事情に鑑みてなされたものであり、その目的とするところは、付加情報付きのコンテンツを表示部に表示する際において、動き検出手段が自機の動きを検出し、該動き検出手段による検出結果に基づき、表示手段が前記表示部に、例えば、付録のような、前記コンテンツの付加情報を表示し、表示すべき付加情報が複数である場合は、前記付加情報の表示条件及び使用者情報に基づいて所定の付加情報を選択し、選択された付加情報を前記表示手段が表示することにより、実物の本に対して行われる使用者の動作と同様の操作により、実物の本の場合と類似する効果を得ることができ、一層実物の本の取り扱いに近い操作が可能であり、実物の本に慣れている使用者に違和感を与えることなく、直観的に操作できる表示装置、表示方法、コンピュータプログラム及び記録媒体を提供することにある。
【課題を解決するための手段】
【００１１】
本発明に係る表示装置は、付加情報付きのコンテンツを記憶している記憶部と、該コンテンツに係る画像を表示する表示部とを備える表示装置において、自機の動きを検出する動き検出手段と、該動き検出手段の検出結果に基づき、前記表示部に前記付加情報を表示する表示手段とを備え、前記記憶部は、複数の付加情報、各付加情報の表示条件、及び使用者情報を記憶しており、前記付加情報の表示条件及び使用者情報に基づき、所定の付加情報を選択する選択手段を備え、該選択手段によって選択された付加情報を、前記表示手段が表示するように構成してあることを特徴とする。
【００１２】
本発明にあっては、前記動き検出手段が自機の動きを検出し、該動き検出手段による検出結果に基づき、前記表示手段が前記表示部に前記付加情報を表示し、表示すべき付加情報が複数である場合は、前記選択手段が前記付加情報の表示条件及び使用者情報に基づいて所定の付加情報を選択し、選択された付加情報を前記表示手段が表示する。
【００１３】
本発明に係る表示装置は、自機の姿勢を検出する姿勢検出手段を備えており、前記表示手段は、前記動き検出手段及び姿勢検出手段の検出結果に基づき、前記付加情報を表示するように構成してあることを特徴とする。
【００１４】
本発明にあっては、前記姿勢検出手段は自機の姿勢を検出し、前記動き検出手段が自機の動きを検出する。前記表示手段は、前記動き検出手段及び姿勢検出手段の検出結果に基づき、前記付加情報を表示する。
【００１７】
本発明に係る表示装置は、前記コンテンツは複数ページの画像からなる画像群であり、  前記記憶部は該コンテンツの特定ページに対応付けて前記付加情報を記憶しており、前記表示部に前記特定ページが表示された場合、前記表示手段が対応する付加情報を表示するように構成してあることを特徴とする。
【００１８】
本発明にあっては、前記記憶部は前記コンテンツの特定ページに対応付けて前記付加情報を記憶しており、前記表示部に前記特定ページが表示された場合のみ、前記表示手段が対応する付加情報を表示する。
【００１９】
本発明に係る表示方法は、付加情報付きのコンテンツを記憶している記憶部と、該コンテンツに係る画像を表示する表示部と、自機の動きを検出する動き検出手段と、自機の姿勢を検出する姿勢検出手段とを備える表示装置において、前記付加情報を表示する表示方法において、前記動き検出手段及び姿勢検出手段の検出結果に基づき、前記表示部に前記付加情報を表示するステップを含み、前記記憶部は、複数の付加情報、各付加情報の表示条件、及び使用者情報を記憶しており、前記付加情報の表示条件及び使用者情報に基づき、所定の付加情報を選択する選択ステップと、該選択ステップによって選択された付加情報を表示するステップとを含むことを特徴とする。
【００２０】
本発明に係るコンピュータプログラムは、付加情報付きのコンテンツを記憶している記憶部と、該コンテンツに係る画像を表示する表示部と、自機の動きを検出する動き検出手段と、自機の姿勢を検出する姿勢検出手段とを備える表示装置を構成するコンピュータに、前記付加情報を表示させるコンピュータプログラムにおいて、コンピュータに、前記動き検出手段及び姿勢検出手段の検出結果に基づき、前記表示部に前記付加情報を表示させるステップを実行させ、前記記憶部は、複数の付加情報、各付加情報の表示条件、及び使用者情報を記憶しており、コンピュータに、前記付加情報の表示条件及び使用者情報に基づき、所定の付加情報を選択させる選択ステップと、コンピュータに、前記選択ステップによって選択された付加情報を表示させるステップとを実行させることを特徴とする。
【００２１】
本発明にあっては、前記姿勢検出手段は自機の姿勢を検出し、前記動き検出手段が自機の動きを検出する。このような前記動き検出手段及び姿勢検出手段の検出結果に基づき、前記付加情報が前記表示部に表示され、表示すべき付加情報が複数である場合は、前記付加情報の表示条件及び使用者情報に基づいて所定の付加情報が選択され、選択された付加情報が表示される。
【００２２】
本発明に係る記録媒体は、前述の発明のコンピュータプログラムを記録してあることを特徴とする。
【００２３】
本発明にあっては、前記記録媒体に前述のコンピュータプログラムを記録する。コンピュータが前記記録媒体からコンピュータプログラムを読み出して、前述の表示装置及び表示方法がコンピュータにより実現される。
【発明の効果】
【００２４】
本発明によれば、実物の本に対して行われる使用者の動作と同様の操作により、実物の本の場合と類似する効果を得ることができ、一層実物の本の取り扱いに近い操作が可能である上に、実物の本に慣れている使用者に違和感を与えることなく、直観的な操作が可能であるので使用者の使い勝手を向上できる。
【図面の簡単な説明】
【００２５】
【図１】本発明の実施の形態１の書籍データ表示装置の要部構成を示す機能ブロック図である。
【図２】本発明の実施の形態１に係る書籍データ表示装置の使用者情報記憶部の記憶内容を概念的に示す概念図である。
【図３】本発明の実施の形態１に係る書籍データ表示装置の情報管理テーブルを概念的に示す概念図である。
【図４】本発明の実施の形態１に係る書籍データ表示装置の検出部の要部構成を示す機能ブロック図である。
【図５】本発明の実施の形態１に係る書籍データ表示装置における、付録表示の処理を説明するフローチャートである。
【図６】本発明の実施の形態１に係る書籍データ表示装置における、電子書籍の表示例を示す例示図である。
【図７】本発明の実施の形態１に係る書籍データ表示装置における、電子書籍の付録の表示例を示す例示図である。
【図８】本発明の実施の形態１に係る書籍データ表示装置における、電子書籍の付録の表示例を示す例示図である。
【図９】本発明の実施の形態２に係る書籍データ表示装置における、付録表示の処理を説明するフローチャートである。
【図１０】本発明の実施の形態２に係る書籍データ表示装置における、電子書籍の付録の表示例を示す例示図である。
【図１１】本発明の実施の形態３に係る書籍データ表示装置における、付録表示の処理を説明するフローチャートである。
【図１２】本発明の実施の形態３に係る書籍データ表示装置における、電子書籍の表示例を示す例示図である。
【図１３】本発明の実施の形態３に係る書籍データ表示装置における、電子書籍の付録の表示例を示す例示図である。
【図１４】本発明の実施の形態４の書籍データ表示装置の要部構成を示す機能ブロック図である。
【発明を実施するための形態】
【００２６】
以下に、本発明の実施の形態に係る表示装置、表示方法及びコンピュータプログラムを、いわゆる電子ブックの機能を有する書籍データ表示装置に適用した場合を例として、図面に基づいて詳述する。
（実施の形態１）
図１は本発明の実施の形態１の書籍データ表示装置１００の要部構成を示す機能ブロック図である。書籍データ表示装置１００はＣＰＵ１、ＲＯＭ２及びＲＡＭ３を備えている。
【００２７】
ＲＯＭ２には各種の制御プログラム、演算用のパラメータのうちの基本的に固定のデータ等が予め格納されており、ＲＡＭ３はデータを一時的に記憶し、記憶順、記憶位置等に関係なく読み出すことが可能である。また、ＲＡＭ３は、例えば、ＲＯＭ２から読み出されたプログラム、該プログラムを実行することにより発生する各種データ、該実行の際適宜変化するパラメータ等を記憶する。
【００２８】
ＣＰＵ１は、ＲＯＭ２に予め格納されている制御プログラムをＲＡＭ３上にロードして実行することによって、バスＮを介して下記の各種ハードウェアの制御を行い、装置全体を本発明の書籍データ表示装置１００として動作させる。また、ＣＰＵ１は、後述する位置受付部８を介して、使用者から処理の指示の入力を受け付ける。    
【００２９】
本発明の実施の形態１の書籍データ表示装置１００は、記憶部４と、選択部５と、表示部６と、表示制御部７と、位置受付部８と、検出部９と、動き検出部１０と、姿勢検出部１１と、Ｉ／Ｆ（Inter Face）１２とを更に備えている。
【００３０】
記憶部４は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の記憶媒体により構成されている。また、記憶部４は、書籍データ記憶部４１、付録データ記憶部４２及び使用者情報記憶部４３を有している。
【００３１】
書籍データ記憶部４１には、複数の書籍データが記憶されている。該書籍データは複数ページの画像からなる電子書籍のコンテンツデータであり、表示制御部７は該書籍データに基づき、表示部６に電子書籍の所定ページを表示する。
【００３２】
付録データ記憶部４２には、書籍データ記憶部４１に記憶されている書籍データに付属する付録（付加情報）に係るデータが記憶されている。例えば、付録データ記憶部４２には、表示部６に、当該電子書籍の付録としてクーポン券、割引券等を表示するための画像データ（以下、付録画像データと言う。）が記憶されている。すなわち、後述する「付録１Ａ」、「付録２Ａ」及び「付録２Ｂ」等に係る画像データが記憶されている。
【００３３】
使用者情報記憶部４３には、書籍データ表示装置１００の使用者（所有者）に関する情報が記憶されている。書籍データ表示装置１００の所有者は適宜操作して自分に関する情報を入力し、使用者によって入力された情報（以下、使用者情報と言う。）は、使用者情報記憶部４３に記憶される。
【００３４】
図２は本発明の実施の形態１に係る書籍データ表示装置１００の使用者情報記憶部４３の記憶内容を概念的に示す概念図である。図２に示すように、使用者情報記憶部４３には、例えば、所有者名、住所、電話番号、性別及び年齢等が記憶される。更に、使用者情報記憶部４３には、当該使用者が会員となっている、前記電子書籍を提供する事業者の事業者名、また会員区分等についても記憶される。
【００３５】
また、記憶部４には情報管理テーブル４５が記憶されている。情報管理テーブル４５は、記憶部４の書籍データ記憶部４１に記憶されている各書籍データの付録を管理するためのものであり、情報管理テーブル４５に基づき、当該付録の表示が行われる。
【００３６】
図３は本発明の実施の形態１に係る書籍データ表示装置１００の情報管理テーブル４５を概念的に示す概念図である。図３に示す情報管理テーブル４５には、書籍データ記憶部４１に記憶されている書籍データの内訳と、各書籍データに係る付録の有無、付録の表示条件、付録の表示ページ等について書き込まれている。
【００３７】
前記付録の表示条件とは、付録を表示するにおいて、使用者に求められる条件である。また、前記付録の表示ページとは、付録を表示する際、表示部６に表示されていることが要求されるべきページ（番号）である。なお、このような情報は、電子書籍を提供する事業者によって提供される。
【００３８】
すなわち、情報管理テーブル４５には、書籍データ１においては、付録は「付録１Ａ」が付いており、該付録は「会員のみ」に提供される旨が書き込まれている。また、書籍データ２においては、付録は「付録２Ａ」及び「付録２Ｂ」の２つであり、「付録２Ａ」は女性の使用者に提供され、「付録２Ｂ」は男性の使用者に提供される旨が書き込まれている。更に書籍データ３においては、付録が付いていない旨が書き込まれており、書籍データ４には、男性の幼児を対象とする「付録４Ａ」が付いている旨、及びプレミアム会員用の付録が別途に付いている旨が書き込まれている。そして書籍データ５においては、付録は「付録５Ａ」が付いており、該付録の表示は当該電子書籍の「１００ページ」が表示されている場合のみ行われる旨が書き込まれている。
【００３９】
前記電子書籍及び付録に係るデータは、Ｉ／Ｆ１２を介して外部の通信ネットワークからダウンロードされるか、又は図示しない可搬型の記録媒体に記録されたものが読み込まれ、上述したように、記憶部４に記憶される。
【００４０】
選択部５は、ＣＰＵ１からの指示に応じて、何れかの付録（付録データ）を選択する。詳しくは、選択部５は、情報管理テーブル４５に基づき、使用者によって選択された電子書籍（書籍データ）に対応する付録を選択する。また、使用者によって選択された電子書籍に対応する付録が複数である場合は、情報管理テーブル４５の前記表示条件、使用者情報記憶部４３の前記使用者情報等に基づき、何れかの付録を選択する。
【００４１】
表示部６は、例えば、ＬＣＤ又はＥＬ（Electroluminescence）パネル等からなり、電子書籍のコンテンツが表示される。また、表示部６の表示画面は位置受付部８によって覆われている。
【００４２】
表示制御部７は、ＤＳＰ（Digital Signal Processor）のようなプロセッサにより構成され、表示部６への画像表示を制御する。例えば、ＣＰＵ１の指示に応じて表示部６に表示すべき画像の画像データを生成する。詳しくは、表示制御部７は前記書籍データに基づき、表示部６に表示すべき電子書籍のコンテンツの画像データを生成し、生成された画像データに基づく画像（電子書籍のコンテンツ）を表示部６に表示する。
【００４３】
また、表示制御部７は、表示部６に、表示された電子書籍のページの画像をページ順又は逆ページ順に捲る、アニメーション表示を行い、実物の本のページめくりを擬似的に実現するめくり表示を行う。該めくり表示は、本を１ページずつ捲るような視覚的効果を演出する公知の技術である。例えば、表示部６に当該電子書籍が両開き状態にて表示されている場合、使用者が左ページをタッチしてドラグする操作を行った場合、逆ページ順に捲るアニメーションが表示され、使用者が右ページをタッチしてドラグする操作を行った場合、ページ順に捲るアニメーションが表示される。
【００４４】
位置受付部８は、いわゆるタッチパネルを有しておりあり、該タッチパネルは表示部６の表示画面を覆うように設けられている。位置受付部８は使用者のタッチ操作により表示部６の表示画面上における位置指定を受け付ける。すなわち、位置受付部８は使用者の指先のタッチ操作による圧力の変化を検知し、又は静電気による電気信号を検知して、使用者の指先の接触点に対応する表示部６の表示画面上の座標を検出し、該座標を特定する信号を発生する。また、位置受付部８は、これに限るものでなく、ポインティングデバイス（例えば、スタイラスペン）等による構成であっても良い。
【００４５】
検出部９は、例えば、ＭＥＭＳ加速度センサ、ＭＥＭＳジャイロセンサ等からなり、書籍データ表示装置１００自機の動き及び姿勢を検出する。図４は本発明の実施の形態１に係る書籍データ表示装置１００の検出部９の要部構成を示す機能ブロック図である。検出部９は、複数方向における重力及び加速度を検出する加速度センサ９１と、複数方向における角速度を検出するジャイロセンサ９２とを備えている。
【００４６】
加速度センサ９１は、図４に示すように、互いに直交関係にあるＸ軸方向、Ｙ軸方向、Ｚ軸方向の重力及び加速度をそれぞれ検出するＸ軸加速度センサ９１１、Ｙ軸加速度センサ９１２及びＺ軸加速度センサ９１３を有している。
【００４７】
また、ジャイロセンサ９２は互いに直交関係にあるＸ軸、Ｙ軸、Ｚ軸をそれぞれの回転軸として、それぞれの角速度を検出するＸ軸ジャイロセンサ９２１、Ｙ軸ジャイロセンサ９２２及びＺ軸ジャイロセンサ９２３を有している。
【００４８】
従って、加速度センサ９１によっては書籍データ表示装置１００の上下前後左右への直線運動の動きが検知でき、ジャイロセンサ９２によっては、書籍データ表示装置１００の回転の動きが検知できる。
【００４９】
加速度センサ９１及びジャイロセンサ９２は夫々ＡＤ変換部９３に接続されており、ジャイロセンサ９２及び加速度センサ９１から出力される検出結果に係る出力信号は、それぞれのＡＤ変換部９３に送られてアナログ信号からディジタル信号に変換され、該ディジタル信号はＣＰＵ１に与えられる。
【００５０】
動き検出部１０は、加速度センサ９１及び／又はジャイロセンサ９２による検出結果に基づき、書籍データ表示装置１００自機の様々な方向への動きを検出する。例えば、動き検出部１０は、加速度センサ９１及び／又はジャイロセンサ９２による検出結果に基づき、所定の動きに対してそれが書籍データ表示装置１００自機の上下方向への「振る」動きであることを判定できる。
【００５１】
姿勢検出部１１は、加速度センサ９１及び／又はジャイロセンサ９２による検出結果に基づき、書籍データ表示装置１００の何れの面がどの方向に向いているか、すなわち、書籍データ表示装置１００の姿勢を検出する。例えば、姿勢検出部１１は、加速度センサ９１及び／又はジャイロセンサ９２による検出結果に基づき、書籍データ表示装置１００の表示部６が下方向に向いているかの判定ができる。
【００５２】
以上のような動き検出部１０及び姿勢検出部１１による検出結果は、ＣＰＵ１に与えられる。従って、ＣＰＵ１は動き検出部１０及び姿勢検出部１１による検出結果に基づき、書籍データ表示装置１００自機が上下方向に振られたか否か、表示部６が下方向を向いているか否かを判定することが出来る。
【００５３】
ＣＰＵ１は、表示部６が下方向を向いていると判定した場合であって、書籍データ表示装置１００自機が上下方向に振られたと判定した場合、表示制御部７に、表示中の電子書籍に係る付録の表示を指示する。
【００５４】
すなわち、実物の本において、本に挟まれているクーポン券、割引券等の付録を落とすために本を「振る」使用者の動作（操作）と同様の操作により、実物の本の場合に類似する効果を得ることが出来る。従って、実物の本に慣れている使用者にも違和感を与えることなく、使用者の使い勝手を向上させることが出来る。
【００５５】
以下、本発明の実施の形態１の書籍データ表示装置１００にて行われる、付録表示の処理について詳しく説明する。
【００５６】
図５は本発明の実施の形態１に係る書籍データ表示装置１００における、付録表示の処理を説明するフローチャートである。説明の便宜上、使用者によっては、書籍データ表示装置１００を振る操作又は表示部６の表示画面をタッチする操作の何れかが行われるものとする。また、図３に記載の情報管理テーブル４５を用いて説明する。
【００５７】
使用者が書籍データ表示装置１００の電源スイッチ（図示せず）をオンにすると、システムチェックが行われ（ステップＳ１０１）、問題がなければ初期画面として電子書籍の選択画面が表示される（ステップＳ１０２）。
【００５８】
使用者は、例えば、表示部６の表示画面をタッチする操作により、前記選択画面に表示される複数の電子書籍の中から希望する電子書籍を選択する。この際の使用者によるタッチ操作により、ＣＰＵ１は位置受付部８を介して何れかの電子書籍の選択を受け付ける。
【００５９】
ＣＰＵ１は、位置受付部８からの信号に基づき、何れかの電子書籍の選択を受け付けたか否かを判定する（ステップＳ１０３）。ＣＰＵ１は電子書籍の選択を受け付けていないと判定した場合（ステップＳ１０３：ＮＯ）、電子書籍の選択を受け付けるまで斯かる判定を繰り返す。
【００６０】
また、ＣＰＵ１は電子書籍の選択を受け付けたと判定した場合（ステップＳ１０３：ＹＥＳ）、受け付けた選択に係る電子書籍の表示を表示制御部７に指示する。表示制御部７は、ＣＰＵ１の指示に応じて、書籍データ記憶部４１に記憶されている書籍データに基づき、選択された電子書籍の画像を表示部６に表示する（ステップＳ１０４）。以降、使用者は適宜操作（例えば、タッチ操作）を行い、該電子書籍の所定のページを表示させながら、該電子書籍を読む。
【００６１】
例えば、使用者は、図３の情報管理テーブル４５における書籍データ２に係る電子書籍を選択するものとする。斯かる電子書籍は「旅行ガイドブック」であり、表示部６には、図６のように、該電子書籍の所定ページの画像が表示される。
【００６２】
ＣＰＵ１は動き検出部１０を監視することにより、すなわち、動き検出部１０による検出結果に基づき、書籍データ表示装置１００自機を上下方向に振る操作が行われたか否かを判定する（ステップＳ１０５）。
【００６３】
ＣＰＵ１は、書籍データ表示装置１００自機を上下方向に振る操作が行われたと判定した場合（ステップＳ１０５：ＹＥＳ）、姿勢検出部１１による検出結果に基づき、表示部６が下方向を向いているか否かを判定する（ステップＳ１０６）。
【００６４】
ＣＰＵ１は、表示部６が下方向を向いていないと判定した場合（ステップＳ１０６：ＮＯ）、処理をステップＳ１０５に戻す。又は、表示部６が下方向を向いていない状態での振る操作に応じた他の処理が適宜行われる。
【００６５】
また、ＣＰＵ１は、表示部６が下方向を向いていると判定した場合（ステップＳ１０６：ＹＥＳ）、表示制御部７に、表示中の電子書籍に係る付録の表示を指示する。選択部５は図３の情報管理テーブル４５に基づき、選択された電子書籍に対応する付録画像データを（「付録２Ａ」及び「付録２Ｂ」）選択し、表示制御部７は、選択部５によって選択された付録画像データを付録データ記憶部４２から読み出し、該付録画像データに基づく付録（「付録２Ａ」及び「付録２Ｂ」）の画像を表示部６に表示する（ステップＳ１０７）。以降、処理は再びステップＳ１０５に戻る。
【００６６】
例えば、「付録２Ａ」及び「付録２Ｂ」が、夫々「エステ３０分試券」及び「焼肉１０％割引券」である場合、表示中のページに重なる状態にて、図７に示すように、当該付録が表示される。使用者は、何れかの付録の画像をタッチして拡大表示させて、当該お店に提示できる。
【００６７】
お店側への提示が終わったら、使用者は、図８に示すように、２本指で表示部６の表示画面上の２つの点をタッチした後、２本指間を狭める方向に該２本指をドラグする。すなわち、実物の本を閉じるような操作を行い、表示されている付録の画像を削除し、図６の表示状態に戻ることが出来る。すなわち、所定距離以上離れた２つの点の位置指定を位置受付部８が受け付け、斯かる２つの点間の距離が縮む方向に、該２つの点が移動した場合、ＣＰＵ１は、表示中の付録の画像を削除するよう表示制御部７に指示する。
【００６８】
一方、ステップＳ１０５にて、ＣＰＵ１が書籍データ表示装置１００自機を上下方向に振る操作が行われていなかったと判定した場合（ステップＳ１０５：ＮＯ）、ＣＰＵ１は位置受付部８を監視し、位置受付部８からの信号に基づき、表示部６の表示画面上をタッチする使用者の操作があったか否かを判定する（ステップＳ１０８）。
【００６９】
ＣＰＵ１は、表示部６の表示画面上をタッチする使用者の操作があったと判定した場合（ステップＳ１０８：ＹＥＳ）、表示制御部７に、ページをめくるアニメーションの表示を指示する。表示制御部７は、ＣＰＵ１の指示に応じて、ページをめくるアニメーションを表示し（ステップＳ１０９）、次のページ又は前のページを表示する。以降、処理は再びステップＳ１０５に戻る。
【００７０】
ＣＰＵ１は、表示部６の表示画面上をタッチする使用者の操作がなかったと判定した場合（ステップＳ１０８：ＮＯ）、電源スイッチ（図示せず）を監視することにより、終了指示を受け付けたか否かを判定する（ステップＳ１１０）。
【００７１】
ＣＰＵ１は、終了指示を受け付けていないと判定した場合（ステップＳ１１０：ＮＯ）、処理をステップＳ１０５に戻す。一方、ＣＰＵ１は終了指示を受け付けたと判定した場合（ステップＳ１１０：ＹＥＳ）、電源スイッチをオフにして（ステップＳ１１１）、処理を終了する。
【００７２】
以上の記載においては、表示中の所定ページに重なるように、当該付録が表示される場合を例に挙げて説明したがこれに限るものでない。例えば、表示中の所定ページに代わって付録が表示されるように構成しても良い。
【００７３】
また、図３の情報管理テーブル４５の書籍データ３のように、付録がない場合には、その旨を表示するように構成しても良い。
【００７４】
また、以上の記載においては、複数の付録が共に表示される場合を例に挙げて説明したが、これに限るものでない。使用者の「振る」操作により、複数の付録が順次表示されるように構成しても良い。
【００７５】
（実施の形態２）
本発明の実施の形態２における書籍データ表示装置１００は、所定電子書籍に係る付録が複数ある場合、当該付録の表示条件及び使用者情報に基づき、使用者に適した何れかの付録の画像を選択的に表示する。すなわち、書籍データ表示装置１００の使用者（所有者）によって異なる付録の画像を表示できる。
【００７６】
図９は本発明の実施の形態２に係る書籍データ表示装置１００における、付録表示の処理を説明するフローチャートである。説明の便宜上、使用者によっては、書籍データ表示装置１００を振る操作又は表示部６の表示画面をタッチする操作の何れかが行われるものとする。また、図２に記載の使用者情報及び図３に記載の情報管理テーブル４５を用いて説明する。
【００７７】
使用者が書籍データ表示装置１００の電源スイッチ（図示せず）をオンにすると、システムチェックが行われ（ステップＳ２０１）、問題がなければ初期画面として電子書籍の選択画面が表示される（ステップＳ２０２）。
【００７８】
使用者は、例えば、表示部６の表示画面をタッチする操作により、何れかの希望する電子書籍を選択する。この際の使用者によるタッチ操作により、ＣＰＵ１は位置受付部８を介して何れかの電子書籍の選択を受け付ける。
【００７９】
ＣＰＵ１は、位置受付部８からの信号に基づき、何れかの電子書籍の選択を受け付けたか否かを判定する（ステップＳ２０３）。ＣＰＵ１は電子書籍の選択を受け付けていないと判定した場合（ステップＳ２０３：ＮＯ）、電子書籍の選択を受け付けるまで斯かる判定を繰り返す。
【００８０】
また、ＣＰＵ１は電子書籍の選択を受け付けたと判定した場合（ステップＳ２０３：ＹＥＳ）、表示制御部７は、書籍データ記憶部４１に記憶されている前記書籍データに基づき、選択された電子書籍の画像を表示部６に表示する（ステップＳ２０４）。以降、使用者は適宜操作（例えば、タッチ操作）を行い、該電子書籍の所定のページを表示させながら、該電子書籍を読む。
【００８１】
例えば、使用者は、図３の情報管理テーブル４５における書籍データ２に係る電子書籍を選択するものとする。斯かる電子書籍は「旅行ガイドブック」であり、表示部６には、図６のように、該電子書籍の所定ページの画像が表示される。また、該電子書籍には２つの付録（「付録２Ａ」及び「付録２Ｂ」）が付いている。
【００８２】
ＣＰＵ１は動き検出部１０を監視することにより、すなわち、動き検出部１０による検出結果に基づき、書籍データ表示装置１００自機を上下方向に振る操作が行われたか否かを判定する（ステップＳ２０５）。
【００８３】
ＣＰＵ１は、書籍データ表示装置１００自機を上下方向に振る操作が行われたと判定した場合（ステップＳ２０５：ＹＥＳ）、姿勢検出部１１による検出結果に基づき、表示部６が下方向を向いているか否かを判定する（ステップＳ２０６）。
【００８４】
ＣＰＵ１は、表示部６が下方向を向いていないと判定した場合（ステップＳ２０６：ＮＯ）、処理をステップＳ２０５に戻す。又は、表示部６が下方向を向いていない状態での振る操作に応じた他の処理が適宜行われる。
【００８５】
また、ＣＰＵ１は、表示部６が下方向を向いていると判定した場合（ステップＳ２０６：ＹＥＳ）、表示制御部７に、表示中の電子書籍に係る付録の表示を指示する。
【００８６】
しかし、選択された電子書籍の付録は複数（「付録２Ａ」及び「付録２Ｂ」）であるので、選択部５は図２に記載の使用者情報及び図３の情報管理テーブル４５に基づき、何れかの付録を選択する（ステップＳ２０７）。
【００８７】
詳しくは、選択部５は、図３に記載の情報管理テーブル４５に基づき、「付録２Ａ」の表示条件及び「付録２Ｂ」の表示条件、並びに図２に記載の使用者情報を照らしあう。すなわち、情報管理テーブル４５において、「付録２Ａ」の表示条件は使用者が「女性」であることであり、「付録２Ｂ」の表示条件は使用者が「男性」であることである。一方、前記使用者情報において、所有者は「男性」である。従って、選択部５は「付録２Ｂ」を選択し、ＣＰＵ１は「付録２Ｂ」の画像の表示を表示制御部７に指示する。
【００８８】
表示制御部７は、ＣＰＵ１の指示に応じて、「付録２Ｂ」に対応する付録画像データを付録データ記憶部４２から読み出し、該付録画像データに基づく「付録２Ｂ」の画像を表示部６に表示する（ステップＳ２０８）。以降、処理は再びステップＳ２０５に戻る。
【００８９】
すなわち、「付録２Ａ」及び「付録２Ｂ」が、夫々「エステ３０分試券」及び「焼肉１０％割引券」である場合、実施の形態１（図７参照）においては、何れの付録も表示中のページに重なる状態にて表示されていたが、実施の形態２においては、図１０に示すように、実施の形態２の書籍データ表示装置１００の使用者（所有者）に適した「付録２Ｂ」の「焼肉１０％割引券」のみが表示される。使用者は、該付録の画像をタッチして拡大表示させ、当該お店に提示できる。
【００９０】
一方、ステップＳ２０５にて、ＣＰＵ１が書籍データ表示装置１００自機を上下方向に振る操作が行われていなかったと判定した場合（ステップＳ２０５：ＮＯ）、ＣＰＵ１は位置受付部８を監視し、位置受付部８からの信号に基づき、表示部６の表示画面上をタッチする使用者の操作があったか否かを判定する（ステップＳ２０９）。
【００９１】
以降における、ステップＳ２０９からステップＳ２１２までの処理は、実施の形態１のステップＳ１０８からステップＳ１１１までの処理と同じであるので詳しい説明を省略する。
【００９２】
実施の形態１と同様の部分については、同一の符号を付して詳細な説明を省略する。
【００９３】
（実施の形態３）
本発明の実施の形態３に係る書籍データ表示装置１００においては、所定電子書籍に係る付録が表示される場合、該電子書籍の特定ページが表示部６に表示されている場合のみ該付録を表示するように構成されている。例えば、当該付録に関連する記載事項が掲載されているページが表示されている場合にのみ該付録が表示される。
【００９４】
図１１は本発明の実施の形態３に係る書籍データ表示装置１００における、付録表示の処理を説明するフローチャートである。説明の便宜上、使用者によっては、書籍データ表示装置１００を振る操作又は表示部６の表示画面をタッチする操作の何れかが行われるものとする。また、図３に記載の情報管理テーブル４５を用いて説明する。
【００９５】
使用者が書籍データ表示装置１００の電源スイッチ（図示せず）をオンにすると、システムチェックが行われ（ステップＳ３０１）、問題がなければ初期画面として電子書籍の選択画面が表示される（ステップＳ３０２）。
【００９６】
使用者は、例えば、表示部６の表示画面をタッチする操作により、何れかの希望する電子書籍を選択する。この際の使用者によるタッチ操作により、ＣＰＵ１は位置受付部８を介して何れかの電子書籍の選択を受け付ける。
【００９７】
ＣＰＵ１は、位置受付部８からの信号に基づき、何れかの電子書籍の選択を受け付けたか否かを判定する（ステップＳ３０３）。ＣＰＵ１は電子書籍の選択を受け付けていないと判定した場合（ステップＳ３０３：ＮＯ）、電子書籍の選択を受け付けるまで斯かる判定を繰り返す。
【００９８】
また、ＣＰＵ１は電子書籍の選択を受け付けたと判定した場合（ステップＳ３０３：ＹＥＳ）、表示制御部７は、書籍データ記憶部４１に記憶されている前記書籍データに基づき、選択された電子書籍の画像を表示部６に表示する（ステップＳ３０４）。以降、使用者は適宜操作（例えば、タッチ操作）を行い、該電子書籍の所定のページを表示させながら、該電子書籍を読む。
【００９９】
例えば、使用者は、図３の情報管理テーブル４５における書籍データ５に係る電子書籍を選択するものとする。斯かる電子書籍は「幼児教育白書」であり、表示部６には、図１２に示すように、該電子書籍の所定ページ（１００ページ及び１０１ページ）の画像が表示される。また、該電子書籍には１つの付録（「付録５Ａ」）が付いている。
【０１００】
ＣＰＵ１は動き検出部１０を監視することにより、すなわち、動き検出部１０による検出結果に基づき、書籍データ表示装置１００自機を上下方向に振る操作が行われたか否かを判定する（ステップＳ３０５）。
【０１０１】
ＣＰＵ１は、書籍データ表示装置１００自機を上下方向に振る操作が行われたと判定した場合（ステップＳ３０５：ＹＥＳ）、姿勢検出部１１による検出結果に基づき、表示部６が下方向を向いているか否かを判定する（ステップＳ３０６）。
【０１０２】
ＣＰＵ１は、表示部６が下方向を向いていないと判定した場合（ステップＳ３０６：ＮＯ）、処理をステップＳ３０５に戻す。又は、表示部６が下方向を向いていない状態での振る操作に応じた他の処理が適宜行われる。
【０１０３】
また、ＣＰＵ１は、表示部６が下方向を向いていると判定した場合（ステップＳ３０６：ＹＥＳ）、図３の情報管理テーブル４５を確認に、選択された電子書籍の付録は「付録５Ａ」であり、該付録の表示は、表示中のページ（番号）が１００である場合に制限されている旨の情報を取得する。
【０１０４】
次いで、ＣＰＵ１は、現在、表示部６に表示中のページが１００ページであるか否かを判定する（ステップＳ３０７）。
【０１０５】
ＣＰＵ１は、現在、表示部６に表示中のページが１００ページでないと判定した場合（ステップＳ３０７：ＮＯ）、処理をステップＳ３０５に戻す。
【０１０６】
一方、図１２に示すように、１００ページ及び１０１ページが表示されている状態である場合、ＣＰＵ１は、現在表示部６に表示中のページが１００ページであると判定し（ステップＳ３０７：ＹＥＳ）、「付録５Ａ」の画像の表示を表示制御部７に指示する。
【０１０７】
表示制御部７は、ＣＰＵ１の指示に応じて、「付録５Ａ」に対応する付録画像データを付録データ記憶部４２から読み出し、該付録画像データに基づく「付録５Ａ」の画像を表示部６に表示する（ステップＳ３０８）。以降、処理は再びステップＳ３０５に戻る。
【０１０８】
例えば、「付録５Ａ」が「特別講演会招待券」である場合、図１３に示すように、１００ページ側に該付録が表示される。使用者は、該付録の画像をタッチして拡大表示させ、当該講演会の入場の際提示できる。
【０１０９】
一方、ステップＳ３０５にて、ＣＰＵ１が書籍データ表示装置１００自機を上下方向に振る操作が行われていなかったと判定した場合（ステップＳ３０５：ＮＯ）、ＣＰＵ１は位置受付部８を監視し、位置受付部８からの信号に基づき、表示部６の表示画面上をタッチする使用者の操作があったか否かを判定する（ステップＳ３０９）。
【０１１０】
以降における、ステップＳ３０９からステップＳ３１２までの処理は、実施の形態１のステップＳ１０８からステップＳ１１１までの処理と同じであるので詳しい説明を省略する。
【０１１１】
実施の形態１と同様の部分については、同一の符号を付して詳細な説明を省略する。
【０１１２】
なお、本発明は以上の記載に限るものでない。例えば、使用者によって、図３の情報管理テーブル４５における書籍データ４に係る電子書籍が選択された場合が想定できる。情報管理テーブル４５には、該電子書籍の付録は「付録４Ａ」である旨及び、プレミアム会員用の付録が更に付いている旨が書き込まれている。
【０１１３】
このように、前記書籍データ４に係る電子書籍が選択された場合においては、表示部６が下方向を向いている状態にて、書籍データ表示装置１００自機を上下方向に振る、特定の「振る」操作が行われたとＣＰＵ１が判定した場合、表示制御部７が表示中の電子書籍に係る付録（「付録４Ａ」）を表示し、この後、再び前記特定の「振る」操作が行われたとＣＰＵ１が判定した場合は、表示制御部７が表示中の付録に代えて又は共に前記プレミアム会員用の付録を表示するように構成できる。
【０１１４】
（実施の形態４）
図１４は本発明の実施の形態４の書籍データ表示装置１００の要部構成を示す機能ブロック図である。実施の形態４の書籍データ表示装置１００は、動作を行うためのコンピュータプログラムが、Ｉ／Ｆ１２を介してＣＤ−ＲＯＭ等の可搬型記録媒体Ａで提供することも可能であるように構成されている。さらに、実施の形態４の書籍データ表示装置１００は、前記コンピュータプログラムを、図示しない外部装置から通信部１３を介してダウンロードすることも可能であるように構成されている。以下に、その内容を説明する。
【０１１５】
実施の形態４の書籍データ表示装置１００は外装（又は内装）の記録媒体読み取り装置（図示せず）を備えており、該記録媒体読み取り装置に、動き検出部１０（動き検出手段）及び姿勢検出部１１（姿勢検出手段）の検出結果に基づき、付録（付加情報）を表示させるプログラム等が記録された可搬型記録媒体Ａを挿入して、例えば、ＣＰＵ１がＲＯＭ２にこのプログラムをインストールする。かかるプログラムはＲＡＭ３にロードして実行される。これにより、実施の形態１乃至３の本発明の書籍データ表示装置１００として機能する。
【０１１６】
前記記録媒体としては、いわゆるプログラムメディアであっても良く、磁気テープ及びカセットテープ等のテープ系、フレキシブルディスク及びハードディスク等の磁気ディスク並びにＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムコードを担持する媒体であっても良い。
【０１１７】
通信部１３を介してネットワークからプログラムコードをダウンロードするように流動的にプログラムコードを担持する媒体であっても良い。なお、このように通信ネットワークからプログラムをダウンロードする場合には、そのダウンロード用のプログラムは予め本体装置に格納しておくか、あるいは別な記録媒体からインストールされるものであっても良い。なお、本発明は、前記プログラムコードが電子的な伝送で具現化された、搬送波に埋め込まれたコンピュータデータ信号の形態でも実現され得る。
【０１１８】
実施の形態１と同様の部分については、同一の符号を付して詳細な説明を省略する。
【符号の説明】
【０１１９】
１  ＣＰＵ
４  記憶部
５  選択部
７  表示制御部（表示手段）
１０  動き検出部
１１  姿勢検出部
１００  書籍データ表示装置
Ａ  記録媒体
【図１】
0005323111.tif 000002
【図２】
0005323111.tif 000003
【図３】
0005323111.tif 000004
【図４】
0005323111.tif 000005
【図５】
0005323111.tif 000006
【図６】
0005323111.tif 000007
【図７】
0005323111.tif 000008
【図８】
0005323111.tif 000009
【図９】
0005323111.tif 000010
【図１０】
0005323111.tif 000011
【図１１】
0005323111.tif 000012
【図１２】
0005323111.tif 000013
【図１３】
0005323111.tif 000014
【図１４】
0005323111.tif 000015